(57)【要約】【課題】鍋料理を調理する場合、旧来の囲炉裏で行われていたように、自在鉤に鍋を吊って調理をするという風情が楽しめる調理用テーブルを提供する。【解決手段】調理用テーブル（Ｔ）は、天板（１）と、天板（１）に設けられ、加熱手段を有するか、または加熱手段（７）を設けることが可能な調理部（１０）と、天板（１）を支える脚部（２，３）と、調理部（１０）の上方に位置させる鍋を吊ることができる吊り鉤部材（５）と、吊り鈎部材（５）を水平方向に回動させて鍋の位置を変えることができる回動支持装置（４）とを備えている。吊り鉤部材（５）の高さは、調整可能であり、吊り鉤部材（５）の先端部には、複数の高さの異なる吊り部（５０，５１）が設けてある。【選択図】　　　　図４
2004121556.tif 000002
【特許請求の範囲】
【請求項１】
所要高さに設けられた天部（１）と、
天部（１）に設けられ、加熱手段を有するか、または加熱手段（７）を設けることが可能な調理部（１０）と、
調理部（１０）の上方に位置させる調理用器を吊ることができる吊り鉤部材（５）と、
を備えていることを特徴とする、
調理用テーブル。
【請求項２】
所要高さに設けられた天板（１）と、
天板（１）に設けられ、加熱手段を有するか、または加熱手段（７）を設けることが可能な調理部（１０）と、
調理部（１０）の上方に位置させる調理用器を吊ることができ、調理用器の位置を吊った状態で変えることができる可動構造の吊り鉤部材（５）と、
を備えていることを特徴とする、
調理用テーブル。
【請求項３】
天板（１）と、
天板（１）に設けられ、加熱手段を有するか、または加熱手段（７）を設けることが可能な調理部（１０）と、
天板（１）を支える脚部（２，３）と、
調理部（１０）の上方に位置させる調理用器を吊ることができる吊り鉤部材（５）と、
吊り鈎部材（５）を水平方向に回動させて調理用器の位置を変えることができる回動支持装置（４）と、
を備えていることを特徴とする、
調理用テーブル。
【請求項４】
回動支持装置（４）に着脱可能で、取付時には回転テーブルとなる副テーブルを備えていることを特徴とする、
請求項３記載の調理用テーブル。
【請求項５】
天板（１）は、調理部（１０）側の調理区域（Ａ１）と、調理部（１０）が設けられていない食卓区域（Ａ２）を有しており、吊り鉤部材（５）は動くことにより吊り下げた調理用器を調理区域（Ａ１）と食卓区域（Ａ２）の間で移動させることができるようにしてあることを特徴とする、
請求項２、３または４記載の調理用テーブル。
【請求項６】
吊り鉤部材（５）の高さが調整可能であることを特徴とする、
請求項１、２、３、４または５記載の調理用テーブル。
【請求項７】
吊り鉤部材（５）の吊り部は、複数の高さの異なる吊り部（５０，５１）で構成されていることを特徴とする、
請求項１、２、３、４、５または６記載の調理用テーブル。
【請求項８】
加熱手段を有する調理部を備えた調理区域（Ａ１）において、調理用器を支えた状態または吊った状態で調理を行い、調理用器での調理が終了したところで、調理用器を調理部が設けられていない食卓区域（Ａ２）へ調理用器を支えた状態または吊った状態のままで移動させて料理を食することができるようにし、並行して調理区域（Ａ１）で他の調理を行うことができるようにしたことを特徴とする、
食事の提供方法。
【発明の詳細な説明】
【０００１】
【発明の属する技術分野】
本発明は、調理用テーブル及び食事の提供方法に関するものである。更に詳しくは、鍋料理や焼き物の調理が可能で、鍋料理を調理した後は調理用器の位置をずらして鍋料理を食しながら並行して焼き物を調理するというように、無駄なく効率的に調理できるものに関する。
【０００２】
【従来技術】
料理店等においては、客が楽しく食事できるように、テーブル、椅子、食器にいたるまで、各種調度品に工夫を凝らしているところも多い。
天板に囲炉裏状の調理部を設けたテーブルもそのひとつである（例えば、特許文献１参照）。
特許文献１記載の調理用テーブルは、外形が平面視長方形状の天板を有しており、天板の内側には同じく平面視長方形状の調理部を有している。これにより、調理部の周囲に一定幅のカウンタ部が設けられている。
このような構造の調理用テーブルでは、客は調理部を囲んで鍋料理や焼き物等の調理を楽しみながら大人数で食事ができる。
【０００３】
【特許文献１】
特開２００２−８１６５０号公報
【０００４】
【発明が解決しようとする課題】
しかしながら、上記した特許文献１記載の調理用テーブルには、次のような課題があった。
すなわち、鍋料理を調理する場合、旧来の囲炉裏で行われていたように、自在鉤に鍋を吊って調理をするのが、いかにも風情がある。このような演出をすれば、客もその風情を楽しみながら食事ができる。
ところが、上記調理用テーブルでは、鍋を単に調理部の焼き網や五徳に載せて調理することになり、家庭での普通の調理と何らかわることがなく、風情に乏しい。
【０００５】
また、上記調理用テーブルで鍋料理と焼き物の調理を行う場合、調理部が比較的長く設けられているため、皆が食べやすいように、調理部の任意の場所に鍋をかけ、その他の場所で焼き物の調理をすることになる。
この方法では、鍋料理と焼き物の調理が同時に進行してしまうため、鍋料理では煮すぎたりしないように、また焼き物では焼きすぎないように気を遣いながら食事もしなくてはならないので、どうしても食事が慌ただしくなってしまい、料理をゆっくり味わうには不向きである。
【０００６】
（本発明の目的）
本発明の目的は、鍋料理を調理する場合、旧来の囲炉裏で行われていたように、自在鉤に鍋等の調理用器を吊って調理をするという風情が楽しめる調理用テーブル及び食事の提供方法を提供することである。
本発明の他の目的は、鍋料理や焼き物の調理が可能で、まず鍋料理を調理した後は鍋等の調理用器の位置をずらして鍋料理を食しながら並行して焼き物を調理するというように、無駄なく効率的に調理でき、ゆっくりとした食事が可能な調理用テーブル及び食事の提供方法を提供することである。
【０００７】
【課題を解決するための手段】
上記課題を解決するために講じた本発明の手段は次のとおりである。
第１の発明にあっては、
所要高さに設けられた天部と、
天部に設けられ、加熱手段を有するか、または加熱手段を設けることが可能な調理部と、
調理部の上方に位置させる調理用器を吊ることができる吊り鉤部材と、
を備えていることを特徴とする、
調理用テーブルである。
【０００８】
第２の発明にあっては、
所要高さに設けられた天板と、
天板に設けられ、加熱手段を有するか、または加熱手段を設けることが可能な調理部と、
調理部の上方に位置させる調理用器を吊ることができ、調理用器の位置を吊った状態で変えることができる可動構造の吊り鉤部材と、
を備えていることを特徴とする、
調理用テーブルである。
【０００９】
第３の発明にあっては、
天板と、
天板に設けられ、加熱手段を有するか、または加熱手段を設けることが可能な調理部と、
天板を支える脚部と、
調理部の上方に位置させる調理用器を吊ることができる吊り鉤部材と、
吊り鈎部材を水平方向に回動させて調理用器の位置を変えることができる回動支持装置と、
を備えていることを特徴とする、
調理用テーブルである。
【００１０】
第４の発明にあっては、
回動支持装置に着脱可能で、取付時には回転テーブルとなる副テーブルを備えていることを特徴とする、
第３の発明に係る調理用テーブルである。
【００１１】
第５の発明にあっては、
天板は、調理部側の調理区域と、調理部が設けられていない食卓区域を有しており、吊り鉤部材は動くことにより吊り下げた調理用器を調理区域と食卓区域の間で移動させることができるようにしてあることを特徴とする、
第２、第３または第４の発明に係る調理用テーブルである。
【００１２】
第６の発明にあっては、
吊り鉤部材の高さが調整可能であることを特徴とする、
第１、第２、第３、第４または第５の発明に係る調理用テーブルである。
【００１３】
第７の発明にあっては、
吊り鉤部材の吊り部は、複数の高さの異なる吊り部で構成されていることを特徴とする、
第１、第２、第３、第４、第５または第６の発明に係る調理用テーブルである。
【００１４】
第８の発明にあっては、
加熱手段を有する調理部を備えた調理区域において、調理用器を支えた状態または吊った状態で調理を行い、調理用器での調理が終了したところで、調理用器を調理部が設けられていない食卓区域へ調理用器を支えた状態または吊った状態のままで移動させて料理を食することができるようにし、並行して調理区域で他の調理を行うことができるようにしたことを特徴とする、
食事の提供方法である。
【００１５】
調理部の加熱手段は、例えばガスコンロ状のもの、あるいは焼き灰を入れて炭を熾すようにしたもの等であるが、これらに限定はされない。
本明細書にいう調理用器とは、鍋等の調理用の器をいうが、鍋以外に釜ややかんも含む概念で使用している。
【００１６】
吊り鉤部材は、調理物が入った調理用器を吊ることができる十分な強度を有するものであれば、その素材（材料）、構造（形状）は特に限定するものではない。素材としては、例えば鉄等の金属の他、天然木等の木、竹等が利用可能である。
【００１７】
副テーブルの大きさ、形状は特に限定するものではない。形状については、例えば円板状、六角形等の多角形の板状、花を象った異形の板状等、各種の形状が採用できる。
【００１８】
吊り鉤部材の高さ調整構造は特に限定するものではないが、例えば差込孔とピンの組み合わせによる段階的な高さの調整が可能な構造、あるいはスクリューロッドを回転させて無段階に調整可能とした構造等、公知の各種調整手段が採用できる。
【００１９】
吊り鉤部材に設けられている複数の高さの異なる吊り部は、斜め方向に段階的に設けてもよいし、垂直方向に段階的に設けることもできる。各吊り部を垂直方向に設けると、各吊り部で調理用器が横方向にずれないので、特に調理部の上で吊り高さを調整する際に加熱手段から位置が外れないので好ましい。
【００２０】
（作用）
本発明に係る調理用テーブルは、次のように作用する。
調理用テーブルは、吊り鉤部材によって、調理部の上方に位置させる調理用器を吊ることができる。
これにより、鍋料理を調理する場合、旧来の囲炉裏で行われていたように、自在鉤に調理用器を吊って調理をするという風情を楽しむことができる。
【００２１】
吊り鉤部材が、調理用器の位置を吊った状態で変えることができる可動構造を有しているものは、まず調理部で鍋料理を調理した後は、天板の調理区域から食卓区域へ調理用器を動かして鍋料理を食することができる。そして、食卓区域で鍋料理を食しながら、調理部を有する調理区域で並行して焼き物を調理するというように、無駄なく効率的に調理ができる。
【００２２】
これにより、例えば鍋料理と焼き物を同時に調理する場合のように食事が慌ただしくなることはなく、食卓区域でゆっくりと食事をすることが可能になる。
なお、特に焼き物等は、調理区域で調理しながら、食卓区域へ移ることなく、そのままの位置で食することもあるのはいうまでもない。
【００２３】
回動支持装置に着脱可能で、取付時には回転テーブルとなる副テーブルを備えているものは、吊り鉤部材と付け替えることによって、本来の形態（吊り鉤部材を使用した形態）と異なる形態での使用が可能になる。詳しくは、天板上に回転可能なテーブルを設けることによって、一般にいう中華テーブルとしての使用が可能である。また、この際、調理部を使用してもよいし、調理部に蓋をして塞ぐ等して調理部を使用しない使い方もできる。
【００２４】
吊り鉤部材の高さが調整可能であるものは、調理用器の大きさや種類によって把手と調理用器の距離が異なる場合も、調理部の火力を効率よく利用できる高さに調整することが可能になる。
また、例えば、鍋料理と同時に焼き物も調理するような場合に、調理用器をやや高く上げて調理部での焼き物の調理をしやすくする等の操作も可能になる。
【００２５】
吊り鉤部材の吊り部が複数の高さの異なる吊り部で構成されているものは、調理用器の吊り高さが複数設定できる。
これによると、調理用器のかけ替えだけの操作で、調理部での調理中に調理用器の吊り高さを低くして強火で調理したり、あるいは逆に調理用器の吊り高さ高くして保温状態にする等、火力の調整をしなくても、調理の火加減をある程度調整できる。
また、調理後に食する場合も、調理用器から料理が取りやすいように、調理用器の吊り高さを簡単に調整することができる。
【００２６】
なお、本発明に係る食事の提供方法は、テーブル上に限らず、床上や地面あるいはその他の食事をする場所において同様に行うことができるのはいうまでもない。
【００２７】
【発明の実施の形態】
本発明を図面に示した実施の形態に基づき更に詳細に説明する。
図１は本発明に係る調理用テーブルの一実施の形態を示す一部を断面した正面視説明図、
図２は図１に示す調理用テーブルの平面視説明図、
図３は図１に示す調理用テーブルの右側面視説明図、
図４は本発明に係る調理用テーブルの使用状態を示す斜視説明図である。
【００２８】
調理用テーブルＴは、調理部１０を有する天板１と、主脚台２と、副脚台３と、回動支持装置４及び吊り鉤部材５を備えている。
天部である天板１は、天然木の無垢板で形成されている。天板１の平面視形状は、図２に示すようにほぼ卵形に形成してある。詳しくは、長手方向の一端側が径大の半円形状に形成されており、他端側が径小の半円形状に形成され、各円弧部の外形部を直線部分で結んだ形状である。
【００２９】
天板１のうち、後述する調理部１０が向けてある径大側は、主に調理を行うための調理区域Ａ１となっており、反対の径小側は、主に食事をするための食卓区域Ａ２となっている（図２参照）。
なお、天板１の形状はこの形状に限定されるものではなく、平面視で長方形状や三角形状等の各種多角形状または円形状、楕円形状、異形状（例えば、外形に木の幹の形状がそのまま表れたような不規則な形状）等である。
【００３０】
天板１の径大側のほぼ中央部（円弧部分を含む円の中央部）には、囲炉裏状の調理部１０を構成する炉体１２を嵌め入れるための円形の炉口１１が上下に貫通して設けてある。炉口１１は、一段低く形成された径小部１１０を有し、その上面は載置段部１１１となっている。
炉体１２は金属製で、ほぼ有底円筒形状に形成されており、上部には全周にフランジ部１２０が設けてある。炉体１２は、フランジ部１２０を載置段部１１１に載置して炉口１１に着脱可能に装着されている。炉体１２の内部には、所要量の焼き灰１１２（図４参照）が収容されている。
【００３１】
天板１の径大側の下部には主脚台２が設けられ、径小側の下部には副脚台３が設けられている。主脚台２と副脚台３は木製で、それぞれ同じ高さに設けられており、天板１は水平になっている。天板１の下面側にボルト（図示省略）で固定されており、取り外しも容易にできる。
主脚台２は、互いに着脱可能な下脚２０と上脚２１で構成されている。また、副脚台３は、互いに着脱可能な下脚３０と上脚３１で構成されている。主脚台２の上脚２１と副脚台３の下脚３０の高さは同じに設定されている。
なお、これら主脚台２と副脚台３の天板１に対する取付構造またはそれぞれの下脚と上脚相互の取付構造は、接着や釘着、あるいは嵌め合いや差し込みを利用した組み構造等、他の公知手段を採用することもできる。また、上記炉体１２は、主脚台２の上部側中空部に収容されるようにしてある。
【００３２】
天板１の炉口１１よりやや径小側寄りには、円形の取付孔１３が上下に貫通して設けてある。取付孔１３には、回動支持装置４が取り付けてある。
回動支持装置４は、スラスト軸受４０と支持体４５を有している。スラスト軸受４０は、回転部の中心に口形が四角形の装着孔４１を有している。スラスト軸受４０は、取付孔１３に上部側から嵌め入れられ、上部側のフランジ部４２をネジ着することによって固着されている。フランジ部４２のうち、炉口１１側とその反対側の二箇所には、ピン孔４３、４４が貫通して設けてあり、各ピン孔は天板１の木部まで穿って設けてある。
【００３３】
支持体４５は鉄製で、台板４６と筒体４７で構成されている。台板４６は円板の周縁部の一部を張り出して設けた構造で、張り出し部４６０にはピン孔４６１が設けてある。また、台板４６の下面側の中心部には、上記スラスト軸受４０の装着孔４１に差し込んで回転部の回転力を支持体４５に伝えるための差込芯体４８が溶接により固着してある。
筒体４７は、口形が扁平な四角形状の筒状であり、台板４６の上面側中心部に溶接により固着して立設されている。また、筒体４７の面積が広い二側面のうち一方側には、上下方向の三箇所にピン孔４７０が等間隔で設けてある。
【００３４】
支持体４５は、差込芯体４８を装着孔４１に差し込んでスラスト軸受４０の回転部に着脱可能に取り付けられている。支持体４５をスラスト軸受４０の回転部に取り付けたとき、張り出し部４６０のピン孔４６１の回転軌跡は、フランジ部４２の二箇所に設けられたピン孔４３、４４の位置と重なるように設定されている。ピン孔４６１、４３またはピン孔４６１、４４にピンＰ１を通すことにより、支持体４５の位置を回動方向の二箇所で固定できる。
【００３５】
支持体４５の筒体４７の上部側開口部４７１には、吊り鉤部材５が取り付けてある。吊り鉤部材５は鉄製で、鋳造により細い板状につくられている。
吊り鉤部材５の基端部は、上部側開口部４７１にやや余裕をもって挿入できる形状に形成されており、一箇所に厚み方向に貫通するピン孔（図では見えない）が設けてある。支持体４５の高さは、高さの異なる何れかのピン孔４７０と吊り鉤部材５の基端部のピン孔にピンＰ２を通すことにより三段階に調整できる。
吊り鉤部材５は、中間部の最上部から下方へ曲がっており、先端部二箇所に吊り部５０、５１を設けている。吊り部５０、５１は高さが異なっている。
【００３６】
なお、図１ないし図４には図示していないが、調理用テーブルＴは、回動支持装置４のスラスト軸受４０の装着孔４１に着脱可能で、取付時には回転テーブルとなる副テーブル９を備えている
副テーブル９は、円板状の本体９０と、本体９０の下面側の中心部に設けてある同じく円板状のスペーサ９１を備えている。更に、スペーサ９１の中心部には上記差込芯体４８と同様の差込芯体９２が固着されている。
【００３７】
（作　用）
図１ないし図４を参照して、本実施の形態に係る調理用テーブルの作用を説明する。
調理用テーブルＴを使用して、鍋料理と焼き物を調理する場合、例えば次のように調理することができる。
まず、調理部１０の焼き灰１１２の上で炭７を熾す。調理用器である鍋６の把手を吊り鉤部材５の下側の吊り部５０にかけて鍋６を吊り下げる。鍋６は、熾した炭７の上方に火力が十分に作用する高さに吊ってある。この状態で、鍋６に予め入れてある調理物を煮て鍋料理を調理する。これにより、客は旧来の囲炉裏で行われていたように、吊り鉤部材５（自在鉤）に鍋６を吊って調理をするという風情を楽しむことができる。
【００３８】
鍋料理の調理が済んで食べることができる状態になったら、鍋６を吊ったままでピンＰ１をピン孔４６１、４３から抜いて吊り鉤部材５を回動させ、鍋６を調理区域Ａ１から食卓区域Ａ２の上方に位置させ、ピンＰ１をピン孔４６１、４４に差し込んで図４に示す状態で吊り鉤部材５を固定する。客は、この状態で鍋６を囲んで座り、食卓区域Ａ２で料理を食べることができる。
また、これと並行して、炭７の上には焼き網８を置き、焼き網８に食材を置いて焼き物を調理することができる。このように、鍋料理を終えた後で、焼き物を調理することができるので、例えば鍋料理と焼き物を同時に調理する場合のように食事が慌ただしくなることはなく、ゆっくりと食事をすることが可能になる。
【００３９】
また、吊り鉤部材５の高さはピンＰ２の差し替えによって調整可能であるので、鍋６の大きさや種類によって把手６０と鍋６の距離が異なる場合も、調理部１０の火力を効率よく利用できる高さに調整することが可能になる。
また、例えば、鍋料理と同時に焼き物も調理するような場合に、鍋をやや高く上げて調理部での焼き物の調理をしやすくする等の操作も可能になる。
【００４０】
更に、吊り鉤部材５の高さが異なる吊り部５０、５１によって、鍋６の吊り高さが二段階に設定できる。これによると、鍋６のかけ替えだけの操作で、調理部１０での調理中に鍋６の吊り高さを低くして強火で調理したり、あるいは逆に鍋６の吊り高さ高くして保温状態にする等、火力の調整をしなくても、調理の火加減をある程度調整できる。
また、鍋料理を調理後に食する場合も、鍋６から料理が取りやすいように、鍋６の吊り高さを簡単に調整することができる。
【００４１】
なお、図に表した調理用テーブルＴは、天板１の高さが周囲に椅子を配置して調理したり食事をしたりするのに適した高さに設定されているが、椅子を使用せずに使用者が座して（あぐら、正座等）使用できるようにすることも可能である。
その場合は、主脚台２の下脚２０を上脚２１から取り外し、更に副脚台３を天板１から取り外して下脚３０と上脚３１を分離し、下脚３０のみを天板１に取り付ける。これによって、天板１の高さを使用者が座して使用するのに適した高さに設定できる。
【００４２】
図５は本発明に係る調理用テーブルの他の使用状態を示す一部を断面した正面視説明図、
図６は図５に示す調理用テーブルの平面視説明図である。
調理用テーブルＴは、通常においては上記したような使い方をするが、副テーブル９を使用して次のような使い方をすることもできる。
まず、スラスト軸受４０から支持体４５と吊り鉤部材５を取り外す。そして、スラスト軸受４０の装着孔４１に差込芯体９２を差し込み、副テーブル９を回転可能に装着する。
【００４３】
このように、吊り鉤部材５を副テーブル９に付け替えて、天板１上に回転可能なテーブルを設けることによって、一般にいう中華テーブルとしての使用が可能になる。この際、調理部１０を使用してもよいし、図５、図６に示すように調理部１０に割蓋構造の蓋１４を被せて、調理部１０を使用しない使い方もできる。
【００４４】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００４５】
【発明の効果】
本発明は上記構成を備え、次の効果を有する。
（ａ）調理用テーブルは、吊り鉤部材によって、調理部の上方に位置させる調理用器を吊ることができる。
これにより、鍋料理を調理する場合、旧来の囲炉裏で行われていたように、自在鉤に調理用器を吊って調理をするという風情を楽しむことができる。
【００４６】
（ｂ）吊り鉤部材が、調理用器の位置を吊った状態で変えることができる可動構造を有しているもの及び及び食事の提供方法によれば、まず調理部で鍋料理を調理した後は、天板の調理区域から食卓区域へ調理用器を動かして鍋料理を食することができる。そして、食卓区域で鍋料理を食しながら、調理部を有する調理区域で並行して焼き物を調理するというように、無駄なく効率的に調理ができる。これにより、例えば鍋料理と焼き物を同時に調理する場合のように食事が慌ただしくなることはなく、食卓区域でゆっくりと食事をすることが可能になる。
【００４７】
（ｃ）回動支持装置に着脱可能で、取付時には回転テーブルとなる副テーブルを備えているものは、吊り鉤部材と付け替えることによって、本来の形態（吊り鉤部材を使用した形態）と異なる形態での使用が可能になる。詳しくは、天板上に回転可能なテーブルを設けることによって、一般にいう中華テーブルとしての使用が可能である。また、この際、調理部を使用してもよいし、調理部に蓋をして塞ぐ等して調理部を使用しない使い方もできる。
【００４８】
（ｄ）吊り鉤部材の高さが調整可能であるものは、調理用器の大きさや種類によって把手と調理用器の距離が異なる場合も、調理部の火力を効率よく利用できる高さに調整することが可能になる。
また、例えば、鍋料理と同時に焼き物も調理するような場合に、調理用器をやや高く上げて調理部での焼き物の調理をしやすくする等の操作も可能になる。
【００４９】
（ｅ）吊り鉤部材の吊り部が複数の高さの異なる吊り部で構成されているものは、調理用器の吊り高さが複数設定できる。
これによると、調理用器のかけ替えだけの操作で、調理部での調理中に調理用器の吊り高さを低くして強火で調理したり、あるいは逆に調理用器の吊り高さ高くして保温状態にする等、火力の調整をしなくても、調理の火加減をある程度調整できる。
また、調理後に食する場合も、調理用器から料理が取りやすいように、調理用器の吊り高さを簡単に調整することができる。
【図面の簡単な説明】
【図１】本発明に係る調理用テーブルの一実施の形態を示す一部を断面した正面視説明図。
【図２】図１に示す調理用テーブルの平面視説明図。
【図３】図１に示す調理用テーブルの右側面視説明図。
【図４】本発明に係る調理用テーブルの使用状態を示す斜視説明図。
【図５】本発明に係る調理用テーブルの他の使用状態を示す一部を断面した正面視説明図。
【図６】図５に示す調理用テーブルの平面視説明図。
【符号の説明】
Ｔ　調理用テーブル
１　天板
Ａ１　調理区域
Ａ２　食卓区域
１０　調理部
１１　炉口
１１０　径小部
１１１　載置段部
１１２　焼き灰
１２　炉体
１２０　フランジ部
１３　取付孔
２　主脚台
２０　下脚
２１　上脚
３　副脚台
３０　下脚
３１　上脚
４　回動支持装置
４０　スラスト軸受
４１　装着孔
４２　フランジ部
４３、４４　ピン孔
４５　支持体
４６　台板
４６０　張り出し部
４６１　ピン孔
４７　筒体
４７０　ピン孔
４７１　上部側開口部
４８　差込芯体
５　吊り鉤部材
５０、５１　吊り部
６　鍋
６０　把手
７　炭
８　焼き網
９　副テーブル
９０　本体
９１　スペーサ
９２　差込芯体
【図１】
2004121556.tif 000003
【図２】
2004121556.tif 000004
【図３】
2004121556.tif 000005
【図４】
2004121556.tif 000006
【図５】
2004121556.tif 000007
【図６】
2004121556.tif 000008
【手続補正書】
【提出日】平成14年12月27日(2002.12.27)
【手続補正１】
【補正対象書類名】図面
【補正対象項目名】全図
【補正方法】変更
【補正の内容】
【図１】
2004121556.tif 000009
【図２】
2004121556.tif 000010
【図３】
2004121556.tif 000011
【図４】
2004121556.tif 000012
【図５】
2004121556.tif 000013
【図６】
2004121556.tif 000014